(57)【要約】【課題】オーニング装置を構成する各部材をサンルームなどの上方から容易に順次組み付け可能とする。【解決手段】サンルームの屋根部枠体１０ａ上面に固定される取付ブラケット２０と、ガイドレール２２と、スライダ３０と、巻取機構３６内蔵の本体部２８を備えシート２６の先端を支持する先端枠３２及び先端枠３２を常時軒側に向けて押圧付勢するクロスバー３４を備えたオーニングユニット２４とを具備し、取付ブラケット２０は、係止溝２０ｄと支持溝２０ｅが設けられており、本体部２８を構成するケース３８には係止突起３８ａと掛合突起４２ａが設けられ、本体部２８を取付ブラケット２０の上方より載置するとともに、係止突起３８ａを係止溝２０ｄに、掛合突起４２ａを支持溝２０ｅに嵌合させ、掛合突起４２ａを支持溝２０ｅに対してホルダー４６にて固定する。【選択図】　　　　図２
2004092039.tif 000002
【特許請求の範囲】
【請求項１】
建物の外壁から突出し該建物に付帯する構造物の屋根部上面に配設されるオーニング装置の取付構造において、
前記屋根部を構成し前記外壁に接続され棟側から軒側に向けて延出する少なくとも一対の枠体の前記棟側の端部上面に固定される取付ブラケットと、該取付ブラケットの軒側端縁より前記軒側に向けて延出し前記枠体上面に固定されるガイドレールと、該ガイドレールに沿って移動自在に設けられる移動体と、前記取付ブラケット上に設置される巻取機構内蔵の本体部を備えるとともに該移動体に連結され前記巻取機構より繰出されるシートの先端を支持する先端枠及び該先端枠と前記本体部との間に設けられ前記先端枠を常時軒側に向けて押圧付勢する付勢手段を備えたオーニングユニットと、を具備したオーニング装置であって、
前記取付ブラケットは、前記枠体の棟側端部上面に固定される基板部と、該基板部の棟側縁部に立設され前記外壁に沿う壁部を備え、前記基板部の軒側端縁には棟側に向けて開口する係止溝が設けられ、前記壁部の上縁には上方に向けて開口する支持溝が設けられており、
前記オーニングユニットの本体部には、前記巻取機構を覆うとともに、前記付勢手段の一端が連結されるケースを備え、該ケースの軒側縁部には前記取付ブラケットの係止溝に係合する係止突起が設けられ、前記ケースの棟側縁部には前記支持溝に嵌合する掛合突起が設けられており、
前記オーニングユニットの本体部を前記取付ブラケットの上方より載置するとともに、前記係止突起を係止溝に係合させ、前記掛合突起を支持溝に嵌合させた状態で取り付け、前記掛合突起を前記支持溝に対して抜止手段にて固定することを特徴とするオーニング装置の取付構造。
【請求項２】
建物の外壁から突出し該建物に付帯する構造物の屋根部上面に配設されるオーニング装置の取付構造において、
前記屋根部を構成し前記外壁に接続され棟側から軒側に向けて延出する少なくとも一対の枠体の前記棟側の端部上面に固定される取付ブラケットと、該取付ブラケットの軒側端縁より前記軒側に向けて延出し前記枠体上面に固定されるガイドレールと、該ガイドレールに沿って移動自在に設けられる移動体と、前記取付ブラケット上に設置される巻取機構内蔵の本体部を備えるとともに該移動体に連結され前記巻取機構より繰出されるシートの先端を支持する先端枠及び該先端枠と前記本体部との間に設けられ前記先端枠を常時軒側に向けて押圧付勢する付勢手段を備えたオーニングユニットと、を具備したオーニング装置であって、
前記取付ブラケットは、前記枠体の棟側端部上面に沿い載置される基板部と、該基板部の棟側縁部に立設され前記外壁に沿い該外壁に固定される壁部を備え、前記基板部の軒側端縁には棟側に向けて開口する係止溝が設けられ、前記壁部の上縁には上方に向けて開口する支持溝が設けられており、
前記オーニングユニットの本体部には、前記巻取機構を覆うとともに、前記付勢手段の一端が連結されるケースを備え、該ケースの軒側縁部には前記取付ブラケットの係止溝に係合する係止突起が設けられ、前記ケースの棟側縁部には前記支持溝に嵌合する掛合突起が設けられており、
前記オーニングユニットの本体部を前記取付ブラケットの上方より載置するとともに、前記係止突起を係止溝に係合させ、前記掛合突起を支持溝に嵌合させた状態で取り付け、前記掛合突起を前記支持溝に対して抜止手段にて固定することを特徴とするオーニング装置の取付構造。
【請求項３】
前記取付ブラケットの壁部には、前記構造物の屋根勾配に対応して前記建物の外壁との間隙を塞ぎ、該外壁と前記壁部との連結を行う補助板が設けられることを特徴とする請求項２記載のオーニング装置の取付構造。
【請求項４】
前記抜止手段は、前記取付ブラケットの支持溝後部に形成される段部に係合する係止爪と、前記ケース後縁に形成された係止溝に係合する係合爪とを有するとともに、前記掛合突起上に開口するネジ孔を備え、前記係止爪及び係合爪にて前記取付ブラケットと前記ケースとの間に装着されるとともに、前記ネジ孔に螺着手段を螺着し締結させることで、前記掛合突起を押圧しつつ相対的に上昇させて、前記取付ブラケットと前記ケースとを連結することを特徴とする請求項１または２または３のいずれか１つに記載のオーニング装置の取付構造。
【請求項５】
建物の外壁から突出し該建物に付帯する構造物の屋根部を構成し、棟側から軒側に向けて延設された少なくとも一対の枠体の棟側上面に取付ブラケットを設置し、固定する工程と、
前記取付ブラケットの軒側端縁より前記軒側に向けて前記各枠体上面にガイドレールを固定する工程と、
前記取付ブラケットの上部にオーニングユニットの本体部を載置するとともに、該本体部に具備されるケースの係止突起を前記取付ブラケットの係止溝に係合させ、かつ、前記ケースの掛合突起を前記取付ブラケットの支持溝に嵌合させる工程と、
前記掛合突起を前記支持溝に対して抜止手段にて固定し、前記本体部を取付ブラケット上に固定する工程と、
を備えたことを特徴とするオーニング装置の施工方法。
【発明の詳細な説明】
【０００１】
【発明の属する技術分野】
本発明は、家屋などの建物に付設されるサンルームなどの構造物の屋根部における上面に取り付けられ日除けとして用いられるオーニング装置の取付構造及びその施工方法に関するものである。
【０００２】
【従来の技術】
家屋などの建物の庭等に張り出して設置される構造物であるテラスやサンルームの屋根部分に、日除けのためのオーニング装置が設けられる場合がある。
この場合、テラスやサンルームの施工時にオーニング装置を設けるのであれば、施工途中の枠だけの状態で屋根部を構成する枠部分にオーニング装置を取り付け組込めばよいため、容易に行われる。
【０００３】
【発明が解決しようとする課題】
ところが、既存のサンルームなどに日除けの機能を持たせるには、既に屋根部の上枠にガラス板やアクリル板などの透光板が嵌め付けられていることから、その屋根部の上部にオーニング装置を設けることが困難であり、サンルーム屋根部の内面側（天井面）にロールスクリーンなどを配設することで対応していた。
【０００４】
このような後付けによる取付施工にあたって、オーニング装置を屋根部の上部に組み付ける場合には、サンルームの室内下部側から、すなわち天井面からブラケットやガイドレールなどを取り付ける施工方法となるが、ネジの頭部などがサンルーム内面に表出して見栄えが悪いものとなる。
【０００５】
また、施工時における障害物となる透光板を一時撤去して作業する方法もあるが、オーニング装置の組み付け完了後に、再び組み付けの作業を必要とし、工事が長期化し、また煩雑となっていた。
【０００６】
そこで本発明は、上記問題点を解消するために、オーニング装置を建物の付帯する既存の構造物の屋根部に対して取り付ける構造を簡素化し、容易に構造物に対して組み付けることを可能とする取付構造を得るとともに、その施工作業も容易なものとすることのできるオーニング装置の取付構造とその施工方法を提供することを目的としている。
【０００７】
【課題を解決するための手段】
次に、上記の課題を解決するための手段を、実施の形態に対応する図面を参照して説明する。
この発明の請求項１のオーニング装置の取付構造は、建物の外壁Ａから突出し該建物に付帯する構造物１の屋根部上面に配設されるオーニング装置の取付構造において、
前記屋根部を構成し前記外壁Ａに接続され棟側から軒側に向けて延出する少なくとも一対の枠体１０ａの前記棟側の端部上面に固定される取付ブラケット２０と、該取付ブラケット２０の軒側端縁より前記軒側に向けて延出し前記枠体２０ａ上面に固定されるガイドレール２２と、該ガイドレール２２に沿って移動自在に設けられる移動体３０と、前記取付ブラケット２０上に設置される巻取機構３６内蔵の本体部２８を備えるとともに該移動体３０に連結され前記巻取機構３６より繰出されるシート２６の先端を支持する先端枠３２及び該先端枠３２と前記本体部２８との間に設けられ前記先端枠３２を常時軒側に向けて押圧付勢する付勢手段３４を備えたオーニングユニット２４と、を具備したオーニング装置２であって、
前記取付ブラケット２０は、前記枠体１０ａの棟側端部上面に固定される基板部２０ａと、該基板部２０ａの棟側縁部に立設され前記外壁Ａに沿う壁部２０ｂを備え、前記基板部２０ａの軒側端縁には棟側に向けて開口する係止溝２０ｄが設けられ、前記壁部２０ｂの上縁には上方に向けて開口する支持溝２０ｅが設けられており、
前記オーニングユニット２４の本体部２８には、前記巻取機構３６を覆うとともに、前記付勢手段３４の一端が連結されるケース３８を備え、該ケース３８の軒側縁部には前記取付ブラケット２０の係止溝２０ｄに係合する係止突起３８ａが設けられ、前記ケース３８の棟側縁部には前記支持溝２０ｅに嵌合する掛合突起４２ａが設けられており、
前記オーニングユニット２４の本体部２８を前記取付ブラケット２０の上方より載置するとともに、前記係止突起３８ａを係止溝２０ｄに係合させ、前記掛合突起４２ａを支持溝２０ｅに嵌合させた状態で取り付け、前記掛合突起４２ａを前記支持溝２０ｅに対して抜止手段４６にて固定することを特徴とする。
【０００８】
請求項２記載のオーニング装置の取付構造は、建物の外壁Ａから突出し該建物に付帯する構造物１の屋根部上面に配設されるオーニング装置の取付構造において、
前記屋根部を構成し前記外壁Ａに接続され棟側から軒側に向けて延出する少なくとも一対の枠体１０ａの前記棟側の端部上面に固定される取付ブラケット２０と、該取付ブラケット２０の軒側端縁より前記軒側に向けて延出し前記枠体上面に固定されるガイドレール２２と、該ガイドレール２２に沿って移動自在に設けられる移動体３０と、前記取付ブラケット２０上に設置される巻取機構３６内蔵の本体部２８を備えるとともに該移動体３０に連結され前記巻取機構３６より繰出されるシート２６の先端を支持する先端枠３２及び該先端枠３２と前記本体部２８との間に設けられ前記先端枠３２を常時軒側に向けて押圧付勢する付勢手段３４を備えたオーニングユニット２４と、を具備したオーニング装置２であって、
前記取付ブラケット２０は、前記枠体１０ａの棟側端部上面に沿い載置される基板部２０ａと、該基板部２０ａの棟側縁部に立設され前記外壁Ａに沿い該外壁Ａに固定される壁部２０ｂを備え、前記基板部２０ａの軒側端縁には棟側に向けて開口する係止溝２０ｄが設けられ、前記壁部２０ｂの上縁には上方に向けて開口する支持溝２０ｅが設けられており、
前記オーニングユニット２４の本体部２８には、前記巻取機構３６を覆うとともに、前記付勢手段３４の一端が連結されるケース３８を備え、該ケース３８の軒側縁部には前記取付ブラケット２０の係止溝２０ｄに係合する係止突起３８ａが設けられ、前記ケース３８の棟側縁部には前記支持溝２０ｅに嵌合する掛合突起４２ａが設けられており、
前記オーニングユニット２４の本体部２８を前記取付ブラケット２０の上方より載置するとともに、前記係止突起３８ａを係止溝２０ｄに係合させ、前記掛合突起４２ａを支持溝２０ｅに嵌合させた状態で取り付け、前記掛合突起４２ａを前記支持溝２０ｅに対して抜止手段４６にて固定することを特徴とする。
【０００９】
請求項３記載のオーニング装置の取付構造は、前記取付ブラケット２０の壁部２０ｂには、前記構造物１の屋根勾配に対応して前記建物の外壁Ａとの間隙を塞ぎ、該外壁Ａと前記壁部２０ｂとの連結を行う補助板７０が設けられることを特徴とする。
【００１０】
請求項４記載のオーニング装置の取付構造は、前記抜止手段４６は、前記取付ブラケット２０の支持溝後部に形成される段部２０ｆに係合する係止爪４６ａと、前記ケース後縁に形成された係止溝４２ｂに係合する係合爪４６ｂとを有するとともに、前記掛合突起４２ａ上に開口するネジ孔４６ｃを備え、前記係止爪４６ａ及び係合爪４６ｂにて前記取付ブラケット２０と前記ケース３８との間に装着されるとともに、前記ネジ孔４６ｃに螺着手段を螺着し締結させることで、前記掛合突起４２ａを押圧しつつ相対的に上昇させて、前記取付ブラケット２０と前記ケース３８とを連結することを特徴とする。
【００１１】
また、本発明の請求項５記載のオーニング装置の施工方法では、建物の外壁Ａから突出し該建物に付帯する構造物１の屋根部を構成し、棟側から軒側に向けて延設された少なくとも一対の枠体１０ａの棟側上面に取付ブラケット２０を設置し、固定する工程と、
前記取付ブラケット２０の軒側端縁より前記軒側に向けて前記各枠体１０ｂ上面にガイドレール２２を固定する工程と、
前記取付ブラケット２０の上部にオーニングユニット２４の本体部２８を載置するとともに、該本体部２８に具備されるケース３８の係止突起３８ａを前記取付ブラケット２０の係止溝２０ｄに係合させ、かつ、前記ケース３８の掛合突起４２ａを前記取付ブラケット２０の支持溝２０ｅに嵌合させる工程と、
前記掛合突起４２ａを前記支持溝２０ｅに対して抜止手段４６にて固定し、前記本体部２８を取付ブラケット２０上に固定する工程と、
を備えたことを特徴とする。
【００１２】
したがって、建物に付帯の構造物、例えばサンルーム１などの屋根部に対して、取付ブラケット２０やガイドレール２２などの各部材を屋根部の上方から配置、固定でき、構造物１の内部からの作業が不要となり、屋内面側にネジやボルトなどが表出することがなく、また、オーニングユニット２４を取付ブラケット２０に対して、上方から載置するのみで位置決めが行え、抜止手段４６にて取付ブラケット２０に固定状態となることから、施工性が向上し、既存の構造物１に対して、容易にオーニング構造を付加することが可能となる。
そして、この施行作業は、いずれの部材も構造物１の側方上部、あるいは正面上部から作業を行え、既存構造物に簡単に取り付けできる。
【００１３】
また、抜止手段を取付ブラケット２０とケース３８とに係合してボルトなどの螺着手段Ｂにて締結させる構成としたので、この締結作業のみで、取付ブラケット２０に対してケース３８を含むオーニングユニット２４を取り付けることが可能であり、煩雑な施行作業が簡素化し、作業性が大幅に向上する。
【００１４】
さらに、取付ブラケット２０を、補助板７０を介して建物外壁Ａに固定する構成とすることで、構造物１の枠体１０ａの幅長が細く、ボルト等が螺着され難い場合や、十分な強度を有していない場合などにも、オーニング装置２を構造物１に取り付けることが可能となり、また、構造物１の屋根面に対する載荷荷重を軽減することも可能となる。
【００１５】
【発明の実施の形態】
図１は本発明にかかるオーニング装置の取付構造をサンルームに適用した場合を示す斜視図、図２は同側面図である。
【００１６】
建物の外壁から突出し、この建物に付帯する構造物としてのサンルーム１は、建物の外壁における開口部周縁から外部に突出した状態に一体的に構築された既存のもの、すなわち既設サンルームであり、外形を形作る枠１０の屋根部及び両側面部には透明ガラスや透明アクリル板などの透光板が嵌め付けられ、また前面部に同じく透明ガラス等を嵌め付けた引戸や扉１２等により開閉可能とした構造であり、全体が日射を取入れ可能な構造とされる。そしてこのサンルーム１の屋根部上面に、必要に応じて日除けとして展張されるシートを備えたオーニング装置２が配設される。
【００１７】
サンルーム１の屋根部には、棟側から軒側に向けて延出し、屋根面となる透光板を支持する複数の枠体１０ａを備えている。これら複数の枠体うちの二本の枠体には、オーニング装置２が配設される。なお、本実施の形態では、これら枠体が平行に設けられており、図４（ｂ）中符号Ｇで示すものは、枠体１０ａの両側にはめ付固定された天窓ガラスである。
【００１８】
オーニング装置２は、サンルーム１の屋根部棟側に固定される取付ブラケット２０と、前記枠体１０ａ上面において取付ブラケット２０の軒側端よりサンルーム１の軒側端にかけて固定される平行一対なガイドレール２２と、取付ブラケット２０及びガイドレール２２上に設置されたオーニングユニット２４とで大略構成されている。
【００１９】
取付ブラケット２０は、図２に示すように、枠体１０ａ上に設置固定される平坦な基板部２０ａと、基板部２０ａの棟側端に立設されて建物外壁Ａに面した壁部としての後部壁２０ｂと、基板部２０ａの軒側端に立設されたやや寸法の低い前部壁２０ｃとからなるもので、前部壁２０ｃの上部には棟側に向けて略コ字形に開口する係止溝２０ｄが幅方向に沿って形成され、また後部壁２０ｂの上端には上部側に向けて開口する半リップ溝形状の支持溝２０ｅが幅方向に沿って形成されている。
【００２０】
ガイドレール２２は断面略Ω状をなす押出チャンネル材であって、図４に示すように、枠体１０ａ上面に当接し設置される両側フランジ部２２ａと、両フランジ部２２ａの中央に一体に立設され先端縁が断面略円筒形に膨出形成されたガイド部２２ｂとからなっている。また、ガイドレール２２の軒側端部には、図２に示すように、後述するスライダ３０の脱落を防止するストッパ５０が取り付けられている。
【００２１】
移動体としてのスライダ３０は、ガイドレール２２に沿って摺動移動可能とされ、略方形ブロック状に形成されており、長手方向両端に位置してスライド駒（図示せず）がそれぞれ設けられており、これらスライド駒がガイドレール２２のガイド部２２ｂにスライド自在に取り付けられ、このガイド部２２ｂ先端縁の膨出形状により上方向へ抜け止めされている。
また、このスライダ３０の軒側となる長手方向一端部には、ボス部３０ａが上方に突出形成されている。このボス部３０ａには、後述する先端枠３２に設けられている連結軸４８ｂが嵌合される。
【００２２】
次に、オーニングユニット２４は、取付ブラケット２０上に固定されシート２６を巻き取り格納する本体部２８と、スライダ３０上にこれと直交して連結され、かつシート２６の先端部を保持する先端枠３２と、本体部２８と先端枠３２との間に架け渡されるように設けられシート２６を展張する方向に付勢力を備えた付勢手段としてのクロスバー３４とで概略構成されている。
【００２３】
前記本体部２８は、予め一体に組立てられたものであり、シート２６を巻き取り格納するモータ駆動式の巻取機構３６を内蔵した上面が開口する断面略半円弧状のケース３８と、ケース３８の長手方向両側部を覆う一対の側板４０、及び両側板４０間にあって、ケース３８の後部上端に連結固定され、ケース３８上方を覆う後部天板４２及び後部天板４２に連結された前部天板４４とからなっており、シート２６が巻取られた状態では図２に示すように、ユニット２４のほぼ全体が天板４２，４４の下方内側に位置した状態に格納される。
【００２４】
ケース３８の前縁下部には取付ブラケット２０の係止溝２０ｄに係合する係止突起３８ａが突設され、またケース３８の後部上端と天板４０との接合位置近傍において、天板４２の後部には、取付ブラケット２０の支持溝２０ｅに係合するコ字形の掛合突起４２ａが下部側に向けて垂設されている。
【００２５】
そして、支持溝２０ｅと掛合突起４２ａとの係合位置には、これらを備えた取付ブラケット２０とケース３８との連結状態を確実にロックする抜止手段としてのホルダー４６が嵌合され、ボルトにて締結工程される。
【００２６】
この抜け止め用のホルダー４６は、図６に示すように、断面略Ｌ字形状であって、その垂直端には支持溝２０ｅの後部に形成された段部２０ｆに係合する係止爪４６ａが形成され、また水平端前縁には天板４２の後縁に形成された係止溝４２ｂに係合する係合爪４６ｂが突設されている。また水平面には少なくとも二箇所、前記掛合突起４２ａの水平面に向けて開口するネジ孔４６ｃが穿設され、上面側からボルトＢが螺着されるようになっている。
【００２７】
先端枠３２は、図２に示すように、スライダ３０に連結部４８を介して固定されるもので、連結部４８の挿通部４８ａが挿通される円弧状溝３２ａを下部に形成し、上部にシート２６の先端縁に設けられるロッド２６ａを挿通係止する上部開口した奥拡がり形状の円弧状溝３２ｂを形成し、さらには後部にリップ状溝３２ｃを形成した押出し成形体である。
【００２８】
連結部４８は、先端枠３２の円弧状溝３２ａに挿通されるパイプ状の挿通部４８ａと挿通部４８ａの下部に突設された連結軸４８ｂとから略構成され（図８（ｂ）参照）、スライダ３０のボス部３０ａに連結軸４８ｂを嵌合した後、止めネジ６０をボス部３０ａ側方から螺着させ、連結軸４８ｂに形成された小径部４８ｃに突き当てることにより、スライダ３０上に連結される。
【００２９】
クロスバー３４は、図１に示すように、一対のシリンダ３４ａをそれぞれの中央で揺動自在に連結し略Ｘ字形となって放射方向に延出する４つの先端側の内部に図示しない圧縮コイルバネを内蔵し、各シリンダ３４ａの各先端部分から突出する各プランジャ３４ｂの端部に設けた摺動子３４ｃ（図２参照）を、それぞれケース３８の前縁に突出形成されたリップ溝３８ｂ及び先端枠３２のリップ状溝３２ｃに摺動可能に挿通し、これによってＸ形の交点を中心とした平面的パンタグラフ運動とともに、プランジャ３４ｂの伸縮動作を可能とした構成とされる。なお、シート２６の格納状態では各シリンダ３４ａが略平行な状態となり、クロスバー３４が折畳まれた状態となり、すなわち、巻取機構に先端枠が近接する状態となる。
【００３０】
そして、前述した巻取機構３６に組込まれた図示しないブレーキ機構を解除することで、内蔵された圧縮コイルバネの付勢力により各プランジャ３４ｂがシリンダ３４ａから進出し、それぞれが伸長しつつＸ形に展開し、これにより先端枠３２とともにスライダ３０を軒側に押出してシート２６を展張し、日除けとして機能する。
【００３１】
また展張状態から格納する場合には、巻取機構３６を回転駆動してシート２６を巻取ることで、バネ圧に抗してプランジャ３４ｂが縮小しつつ折畳まれ、これによって先端枠３２をガイドレール２２に沿ってユニット２４側に移動させ、この状態にて巻取機構３６を制動することで、図２に示す元の格納状態に保持される。
【００３２】
次に、以上のような構成のオーニング装置２の取付施工手順を図３〜図７を用いて説明する。
まず最初に図３（ａ），（ｂ）に示すように、取付ブラケット２０をサンルーム１の屋根部棟側に固定する。
【００３３】
この取付施工にあたっては、サンルーム１の屋根部には、天窓ガラスＧがはめ付固定された複数の枠体１０ａが棟側から軒側にかけて平行配置されており、これら枠体１０ａのうち、対となる２つの枠体１０ａに対し、取付ブラケット２０をそれぞれ固定する。この作業時では、作業者は、サンルーム１の側方から覆い被さるような形で取付作業できる位置とされる。
【００３４】
取付ブラケット２０には、その基板部２０ａを貫通して、固定用の一対の長孔５２が形成されている。
【００３５】
取付作業は、取付ブラケット２０の後部壁２０ｂの下端を建物外壁Ａにほぼ接した状態で、基板部２０ａの長孔５２を各枠体１０ａ上にて位置決めし、この状態を保持したまま電動ドリルなどで長孔５２の下面位置に下孔５２ａを形成し、次いでワッシャＷを介してタッピングボルトＢをねじ込むことにより、取付ブラケット２０は枠体１０ａの棟側端部に固定される。
【００３６】
なお、下孔５２ａを形成した後、一旦取付ブラケット２０を取去り、下孔５２ａをタッピングしてネジ孔を形成した上で通常のボルトをねじ込むようにもでき、この場合には取付作業が高所作業とならず、安全な取付作業が行える。
【００３７】
次に、図４（ａ），（ｂ）に示すように、ガイドレール２２を枠体１０ａ上に設置固定する。
この取付作業は、ガイドレール２２の棟側端をブラケット２０の前部壁２０ｃに当接した状態とし、枠体１０ａ上に位置決め設置し、フランジ部２２ａに適宜間隔で開けられた取付孔５４をガイドとして枠体１０ａに下孔５４ａを開け、次いでこれにタッピングネジ、好ましくは皿ネジ５６をねじ込むことで、ガイドレール２２は枠体１０ａ上に固定される。
【００３８】
次に、図５〜図７に示すごとく、オーニングユニット２４をブラケット２０上に固定する。なお、このとき、オーニングユニット２４は、シート２６を格納状態とし、クロスバー３４を略平行な状態として作業が行われる。
【００３９】
まず、図５（ａ）に示すごとく、オーニングユニット２４をやや軒側に傾けつつ、その本体部２８のケース３８に設けられた係止突起３８ａを取付ブラケット２０の係止溝２０ｄに図中矢印で示すように滑り込ませる。この状態で、後部側の掛合突起４２ａは支持溝２０ｅ上に位置する。
【００４０】
次にオーニングユニット２４の後部側を下降させることで、図５（ｂ）に示すように、オーニングユニット２４の本体部２８は取付ブラケット２０上に載置されるとともに、掛合突起４２ａも支持溝２０ｅに嵌合する。次いで本体部２８の左右微調整を行うことで設置位置決め作業を完了する。
この状態では、上部側への引抜き力が作用すると、オーニングユニット２４は簡単に取付ブラケット２０から浮き上がり、離脱してしまうので、次に図６，７に示すようにホルダー４６による固定作業を行う。
【００４１】
図６ではホルダー４６は一側部から真直に差込むように描かれているが、作業手順としては、取付ブラケット２０に近接した側方位置にて、まず、天板４２の係止溝４２ｂに係合爪４６ｂをホルダー４６を傾けた状態で差し込み、次に、この係合爪４６ｂ先端を揺動中心として係止爪４６ａ側を降下させて、支持溝２０ｅと係止爪２６ａとの位置を合わせ、その後、長手方向となる側方にスライドさせることで互いを嵌め合い、図７（ａ）に示すように、ケース３８（天板４２）と、取付ブラケット２０（壁部２０ｂ）間を連結状態とする。
【００４２】
そして、図７（ａ）の差込み完了段階ではホルダー４４と支持溝２０ｅ，係止溝４２ｂ間にはクリアランスが生じているが、次に図７（ｂ）に示すようにボルトＢをネジ孔４６ｃにねじ込み、ボルトＢの先端をホルダー４６の下方に位置する掛合突起４２ａの上面に当接させ、その後、ボルトＢの締付けにより、ボルトＢの先端が掛合突起４２ａを押圧しつつ図７（ｃ）に示すように相対的にホルダー４６を上昇させて、支持溝２０ｅ，係止溝４２ｂとの間にて、段部２０ｆと係止爪４６ａが係合しあい、係止溝４２ｂと係合爪４６ｂとが係合してボルトＢの先端にて取付ブラケット２０に対してケース３８を押さえつけるようになり、これにより、オーニングユニット２４の完全固定がなされる。
【００４３】
オーニングユニット２４の固定作業後は、図８（ａ）に示すように、スライダ３０をガイドレール２２に挿通し、次いでガイドレール２２の軒側端部にストッパ５０を固定し、スライダ３０の脱落を防止する。
【００４４】
次に、取付ブラケット２０に取り付けられたオーニングユニット２４の巻取機構のブレーキ状態を解除してシート２６を繰り出させてクロスバー３４を展開し、先端枠３２をガイドレール２２に沿って軒側に移動させ、この先端枠３２の連結部４８をスライダ３０の上部に形成されたボス部３０ａに嵌合させる。
【００４５】
連結部４８は、図８（ｂ）に一部拡大して示すように、連結軸４８ｂをボス部３０ａに上方から嵌合した後、止めネジ６０をボス部３０ａ側方から螺着し、スライダ３０上に連結部４８を連結固定させる。
【００４６】
以上の一連の作業は、サンルーム１の上面に作業者が乗って作業することなく、サンルーム１の側面及び正面に配置した脚立、作業構台などに乗って取付作業すればよいため、安全にその施行作業を行うことが可能である。
【００４７】
なお、上述した取付施工手順において、スライダ３０を、オーニングユニット２４の固定後に、ガイドレール２２に装着させることとしたが、オーニングユニット２４を取り付ける以前に、スライダ３０をガイドレール２２に取り付け、ストッパ５０を取り付ける手順としてもよい。
【００４８】
また、図９（ａ），（ｂ）は上述した取付ブラケット２０の他の実施の形態を示すものである。この場合には図９（ａ）に示すごとく、建物外壁Ａに後部壁２０ｂに形成された一対の長孔５２を通じてボルトＢを建物外壁Ａにねじ込む。なお、この場合にはサンルーム１の屋根部が水平であることを想定しており、後部垂直壁２０ｂの取付状態で水平部２０ａは枠体１０ａに水平に設置される。
しかし、前記図１，２に示すように、サンルーム１の屋根面は適当な屋根勾配で軒側に傾斜しているのが一般的であり、図９（ｂ）に示すように、その傾斜勾配にあわせた傾斜面を例えば中央に形成した補助板７０を用意し、補助板７０の両側部に形成した長孔７０ａを通じて補助板７０を予め建物外壁ＡにボルトＢを介して固定しておき、この補助板７０に中央に形成されたネジ孔７０ｂに後部壁２０ｂに形成された長孔５０を位置決めし、ボルトＢをねじ込み固定すればよい。これによれば、建物の外壁Ａと後部壁２０ｂとの略楔形状の間隙を塞ぎ、外壁Ａと後部壁２０ｂとの連結が行われ、取付ブラケット２０が建物外壁Ａに固定されることとなる。
したがって、この実施の形態では、取付ブラケット２０は建物外壁に取り付けられるので、サンルーム１の枠体１０ａの幅長が細く、ボルト等が螺着され難い場合や、十分な強度を有していない場合などにも、オーニング装置をサンルーム１に取り付けることが可能となり、また、サンルーム１の屋根面に対する載荷荷重を軽減することも可能となる。
【００４９】
なお、以上の実施形態では、オーニングユニット２４の巻取機構３０をモータ駆動式としたが、手動開閉方式としてもよいことはもちろんである。
【００５０】
また、上記実施の形態では、移動体として、ガイドレール２２に沿って摺動移動自在なスライダ３０とした例について述べたが、この移動体は、ガイドレール２２に沿って転動することで移動自在とされるローラなどとして構成しても良い。
【００５１】
さらに、上記実施の形態における付勢手段としては、クロスバー方式とし、平面内でのＸ字形の展張と伸縮による構成とした。これは天井面に設けたガラスなどに対する干渉を防止するためであるが、テラスなど特にガラスを設けない場合には、縦方向にやや屈曲しながら展張方向に付勢するアーム構造の付勢手段としても採用可能である。
【００５２】
また、上記実施の形態では、サンルーム１の屋根部における一対の枠体１０ｂに取付ブラケット２０及びガイドレール２２を配設する構成としたが、取付ブラケット２０は、オーニングユニット２４の幅長などに応じ、適宜数を増やし、サンルームなどの構造物に対して十分な強度を保って取り付けることとしてもよく、また、ガイドレール２２についても同様に適宜数を増やして、先端枠３２の移動を支持するようにスライダ３０を配設する構成としてもよい。
【００５３】
さらに、上記実施の形態では、屋根部の枠体１０ｂが互いに平行となった構成とされた例としたが、これら枠体１０ｂが平行に設けられていない構造であっても、その枠体にガイドレール２２を設け、スライダ３０を設けることで、オーニング装置はシート２６の展張及び格納を行うことが可能であり、サンルームなどの構造物の形状や構造が異なっていても取り付けることが可能である。
【００５４】
また、上記実施の形態では、シート２６の素材等について特に詳述していないが、遮光性や半透光性を有する素材であれば、樹脂製シートや布製シートなどとして構成されてもよく、さらには、すだれ状の素材や、ネット状の素材として構成してもよい。
【００５５】
さらに、上記実施の形態では、建物に付帯の構造物をサンルームとした例で説明したが、この構造物としては、その他に、テラスや屋根状の構造体としてもよく、また、フレームのみで構成される構築物などとしてもよい。
【００５６】
【発明の効果】
以上説明したように本発明によるオーニング装置の取付構造とその施行方法では、建物に付帯の構造物の屋根部に対して、取付ブラケットやガイドレールなどの各部材を屋根部の上方から配置、固定でき、構造物の内部からの作業が不要となり、屋内面側にネジやボルトなどが表出することがなく、また、オーニングユニットを取付ブラケットに対して、上方から載置するのみで位置決めが行え、抜止手段にて取付ブラケットに固定状態となることから、施工作業性が向上し、既存の構造物に対して、容易にオーニング構造を付加することが可能となる。
【００５７】
そして、この施行作業は、いずれの部材も構造物の側方上部、あるいは正面上部から行うことができ、既存構造物に対して簡単に取り付けることが可能となる。
【００５８】
また、抜止手段を取付ブラケットとケースとに係合してボルトなどの螺着手段にて締結させる構成としたので、この締結作業のみで、取付ブラケットに対してケースを含むオーニングユニットを取り付けることが可能であり、煩雑な施行作業が簡素化し、作業性が大幅に向上する。
【００５９】
さらに、取付ブラケットを、補助板を介して建物外壁に固定する構成とすることで、構造物の枠体の幅長が細く、ボルト等が螺着され難い場合や、十分な強度を有していない場合などにも、オーニング装置を構造物に取り付けることが可能となり、また、構造物の屋根面に対する載荷荷重を軽減することも可能となる。
【図面の簡単な説明】
【図１】本発明に係るオーニング装置をサンルーム上部に設置した状態を示す斜視図である。
【図２】同オーニング装置の側面図である。
【図３】（ａ），（ｂ）は取付ブラケットの取付手順を示す部分斜視図である。
【図４】（ａ），（ｂ）はガイドレールの取付手順を示す部分斜視図及び正面図である。
【図５】（ａ），（ｂ）は取付ブラケットに対する本体部の取付手順を示す側面図である。
【図６】同ホルダーと取付ブラケット及び本体部の結合関係を示す部分斜視図である。
【図７】（ａ），（ｂ），（ｃ）は同ホルダーによる固定手順を示す部分側面図である。
【図８】（ａ），（ｂ）は移動体及び先端枠の取付手順を示す側面図である。
【図９】（ａ），（ｂ）は取付ブラケットの他の実施形態を示す説明図である。
【符号の説明】
１…建物付帯構造物（サンルーム）
２…オーニング装置
１０ａ…枠体
２０…取付ブラケット
２０ａ…基板部
２０ｂ…壁部（後部壁）
２０ｄ…係止溝
２０ｅ…掛合溝
２０ｆ…段部
２２…ガイドレール
２４…オーニングユニット
２６…シート
２８…本体部
３０…移動体（スライダ）
３２…先端枠
３４…付勢手段（クロスバー）
３６…巻取機構
３８…ケース
３８ａ…係止突起
４２ａ…掛合突起
４２ｂ…係止溝
４６…抜止手段（ホルダー）
４６ａ…係止爪
４６ｂ…係合爪
４６ｃ…ネジ孔
７０…補助板
Ａ…建物外壁
Ｂ…ボルト
【図１】
2004092039.tif 000003
【図２】
2004092039.tif 000004
【図３】
2004092039.tif 000005
【図４】
2004092039.tif 000006
【図５】
2004092039.tif 000007
【図６】
2004092039.tif 000008
【図７】
2004092039.tif 000009
【図８】
2004092039.tif 000010
【図９】
2004092039.tif 000011